(57)【要約】【課題】着座者が利用する所要照明範囲を均一に照明するとともに、照明装置を椅子の背面にコンパクトに取り付けることができる照明装置付き椅子を提供する。【解決手段】前席の椅子１の背面側から後席の着座者が利用する所要照明範囲Ｓに向けて光を照射する照明装置付き椅子１であって、前席の椅子１の背面３に取り付けられた少なくとも一つのＬＥＤ光源１０ａと、ＬＥＤ光源１０ａの照射方向前方に配した複数のプリズム単位１２ｂから成るプリズムシート１２を備えた。【選択図】図４
2014090794.tif 000002
【特許請求の範囲】
【請求項１】
前席の椅子の背面側から後席の着座者が利用する所要照明範囲に向けて光を照射する照明装置付き椅子であって、
前記前席の椅子の背面に取り付けられた少なくとも一つのＬＥＤ光源と、前記ＬＥＤ光源の照射方向前方に配した複数のプリズム単位から成るプリズムシートを備えたことを特徴とする照明装置付き椅子。
【請求項２】
前記プリズムシートのＬＥＤ光源側に拡散フィルムを配置したことを特徴とする請求項１に記載の照明装置付き椅子。
【請求項３】
前記ＬＥＤ光源は所要照明範囲よりも高い位置から低い位置の所要照明範囲に向けて照射することを特徴とする請求項１または２に記載の照明装置付き椅子。
【請求項４】
前記照明装置は所要照明範囲の位置を変更できる調整手段を備えていることを特徴とする請求項１ないし３のいずれかに記載の照明装置付き椅子。
【請求項５】
前記所要照明範囲が前席背面あるいは後席に設けたメモ台の上面内であることを特徴とする請求項１ないし４のいずれかに記載の照明装置付き椅子。
【発明の詳細な説明】
【技術分野】
【０００１】
本発明は、前席の椅子の背面側から後席の着座者が利用する所要照明範囲に向けて光を照射する照明装置付き椅子に関する。
【背景技術】
【０００２】
消灯あるいは照明を落として使用する、例えば多目的ホール、映画館、劇場や、講堂、あるいは夜行バス等において、着座者が一時的にパンフレットを見たり、メモ書をするために、前席の椅子の背面側から後席の着座者が利用する照明範囲に向けて光を照射する照明装置付き椅子において、光源として電球、蛍光灯等を用いた後席の着座者用照明装置を前席の椅子の背面側に設け、後席の着座者の膝元近傍（所定照明範囲）に向けて照射したものが知られている。そしてバルブ（電球）からの光を後席の着座者の膝元に向けて集光するために、所定の曲率を備えた集光レンズを備えたものがすでに開発されている（特許文献１参照）。また蛍光灯からの光を後席に設けたテーブル（メモ台）の上面に反射鏡を用いて照射したものも公知である（特許文献２参照）。
【先行技術文献】
【特許文献】
【０００３】
【特許文献１】実開平６−１８０７７号公報
【特許文献２】特開平１０−４３００１号公報
【発明の概要】
【発明が解決しようとする課題】
【０００４】
しかしながら、特許文献１または特許文献２に示された照明装置付き椅子にあっては、光源として電球や蛍光灯を使用しているため光が全方位に発散するため、集光レンズあるいは反射板を用いて所要照明範囲に向けて出射するようにしているが、集光レンズや反射鏡を介して着座者が利用する所要照明範囲の中心部に集光しても、光源から遠い着座者の手元側が光源に近い前席背面側より照度が低くなり、利用勝手が良くないという問題点があった。また照明装置を、電球や蛍光灯、それらの支持具、及び集光レンズや反射鏡で構成することで椅子の背面に所要の取付け空間を要した。
【０００５】
本発明は、上記の問題に鑑み、着座者が利用する所要照明範囲を均一に照明するとともに、照明装置を椅子の背面にコンパクトに取り付けることができる照明装置付き椅子を提供することを目的とする。
【課題を解決するための手段】
【０００６】
前記課題を解決するために、本発明の照明装置付き椅子は、
前席の椅子の背面側から後席の着座者が利用する所要照明範囲に向けて光を照射する照明装置付き椅子であって、
前記前席の椅子の背面に取り付けられた少なくとも一つのＬＥＤ光源と、前記ＬＥＤ光源の照射方向前方に配した複数のプリズム単位から成るプリズムシートを備えたことを特徴としている。
この特徴によれば、単一指向性のＬＥＤ光源からの光をプリズムシートの複数のプリズム単位を介して後席の着座者に近い所要照明範囲に複数の集光単位として集光させ、各集光単位に基づく照度差を小さくできるので、ＬＥＤ光源からの距離による減衰を抑えて所要照明範囲の照度をより均一に近づけることができると共に、ＬＥＤ光源からの光を所要照明範囲にのみ照射する精度が高められ、所要照明範囲以外を照射することがないため、ＬＥＤ光源から出る光が照明装置の利用者以外に影響を与えることを抑えられる。更に、照明装置の主たる部分がＬＥＤ光源とプリズムシートで構成されているため、照明装置全体を薄型に構成できるので設置空間を大きくとることなく椅子の背面にコンパクトに取り付け可能である。
【０００７】
本発明の照明装置付き椅子は、
前記プリズムシートのＬＥＤ光源側に拡散フィルムを配置したことを特徴としている。
この特徴によれば、拡散フィルムにより点光源であるＬＥＤ光源からの光を拡散した後にプリズムシートで複数の集光単位として集光することができるので、所要照明範囲を広く設定しても、照明ムラを抑え、照明範囲の照度の均一化を図ることができ、かつ拡散フィルムを付加したとしても、照明装置を薄型に構成できるので設置空間を大きくとることなく椅子の背面にコンパクトに取り付け可能である。
【０００８】
本発明の照明装置付き椅子は、
前記ＬＥＤ光源は所要照明範囲よりも高い位置から低い位置の所要照明範囲に向けて照射することを特徴としている。
この特徴によれば、椅子の背面に取り付けたＬＥＤ光源から下方後方の所要照明範囲に向かう照射方向が斜め下方に向くので、照明装置の利用者はＬＥＤ光源から出る光を直接目に受けて光の存在を感じることがない。
【０００９】
本発明の照明装置付き椅子は、
前記照明装置は所要照明範囲の位置を変更できる調整手段を備えていることを特徴としている。
この特徴によれば、椅子の背面側の傾きや形状、或いは取付け高さ等に応じて所要照明範囲に向けて的確に照射することができる。
【００１０】
本発明の照明装置付き椅子は、
前記所要照明範囲が前席背面あるいは後席に設けたメモ台の上面内であることを特徴としている。
この特徴によれば、所要照明範囲をメモ台上面内に限定することで後席着座者の利用勝手が良いばかりか、光による他の着座者の明かりを感じることによる不快感を抑えることができる。
【図面の簡単な説明】
【００１１】
【図１】実施例における椅子が前後方向に２列配置された状態を示す平面図である。
【図２】椅子のメモ台を示す背面斜視図である。
【図３】照明装置を示す正面図である。
【図４】図３におけるＡ−Ａ断面図である。
【図５】図４におけるＢ−Ｂ断面図である。
【図６】照明装置が背板に取付けられた状態を示す側面図である。
【図７】ＬＥＤ光源からの光が拡散及び集光された状態を示す側断面図である。
【図８】照明装置が光を照射した状態を示す側面図である。
【図９】（ａ）は、光源ユニットの第１の変形例を示す正面断面図であり、（ｂ）は、同じく側断面図である。
【図１０】（ａ）は、光源ユニットの第２の変形例を示す正面断面図であり、（ｂ）は、同じく側断面図である。
【図１１】メモ台の変形例を示す平面図である。
【図１２】（ａ）は、照明装置の調整手段を示す平面断面図であり、（ｂ）は、同じく側断面図である。
【図１３】（ａ），（ｂ），及び（ｃ）は、照明装置が調整手段により背板の傾斜に応じて調整された態様を示す側断面図である。
【図１４】（ａ）は、照明装置の調整手段を示す側断面図であり、（ｂ）は、照明装置が背板に設置された状態を示す側面図である。
【図１５】（ａ）は、照明装置が調整手段により高さ位置を調整された側断面図であり、（ｂ）は、同じく側面図である。
【発明を実施するための形態】
【００１２】
本発明に係る照明装置付き椅子を実施するための形態を実施例に基づいて以下に説明する。
【実施例】
【００１３】
実施例に係る照明装置付き椅子につき、図１から図８を参照して説明する。図１に示される符号１は、本発明の適用された照明装置付き椅子としての椅子である。この椅子１は、消灯あるいは照明を落とす場合がある場所、例えば、多目的ホール、映画館、劇場や、講堂、あるいは夜行バス等に配置されて使用される。
【００１４】
図１に示されるように、椅子１は、床面に立設され左右方向に所定間隔離間して複数配置される肘掛け部２と、隣接する肘掛け部２の間に配置される背板３及び座４を有する座席部５と、から主に構成されており、この椅子１を前後方向に複数配置することで、多くの使用者が着座することができるようになっている。尚、本実施例では、椅子１は、３つの座席部５が左右方向に並設されて１セットに構成されているが、これに限らず、シート部を２つ若しくは、４つ以上複数設けてもよいし、１つのシート部を設けた椅子を用いてもよい。また、本発明をわかりやすく説明するために、本実施例では、椅子１を前後方向に２列配置した態様について説明する。
【００１５】
図１及び図２に示されるように、椅子１の背板３の背面側には、後列の椅子１の座席部５に向けて引出し可能なメモ台６が収容されているとともに、メモ台６に向けて光を照射可能な照明装置７がメモ台６よりも高い位置に取付けられている。より詳しく説明すると、メモ台６は、メモ台６の上面で後列の椅子１の着座者が一時的にパンフレットを見たり、メモ書をする等の作業を行うスペース及びその周辺が所要照明範囲Ｓとなっており、照明装置７は、この所要照明範囲Ｓに向けて光を照射するようになっている。
【００１６】
尚、この所要照明範囲Ｓは、所定の作業を行うスペース及びその周辺に限られず、例えば、メモ台上面内に限定してもよい。これにより、着座者がメモ台上面で作業を行い易く、利用勝手が向上されるとともに、照明装置の光により他の着座者が明かりを感じることで生じる不快感を抑えることができる。
【００１７】
図３及び図４に示されるように、照明装置７は、照明装置７を構成する種々の部材を収容するカバー８を備えており、このカバー８は、側断面視略台形状を成すように上下方向の両端部が所定角度傾斜するテーパ状に形成されている。そしてカバー８には、カバー８の下方側の端部に一部開口する開口部８ａと、カバー８を背板３に取付けるためのボルト孔８ｃと、が形成されている。すなわち、この開口部８ａは、テーパ状に形成されたカバー８の下方側の端部に設けられるため、メモ台６側を向くようになっている。また、カバー８は、後述する光源ユニット１０の電源スイッチ１４が設けられている。
【００１８】
この開口部８ａの内周面には、アクリルやポリカーボネート等で形成され、表面にシボ加工を施された透光板９が嵌合されており、この透光板９は、透光率が高くなっているとともに、カバー８の内部に収容される光源ユニット１０等の種々の部材が外部に露呈することを防止している。また、図５に示されるように、開口部８ａの周縁には、前記光源ユニット１０を設置する設置部８ｂが設けられており、設置部８ｂには、カバー８の表面の対抗側から一部切欠かれた切欠部８ｅが形成されている（図４参照）。
【００１９】
図３ないし図５に示されるように、光源ユニット１０は、単一指向性の発光ダイオードであるＬＥＤ光源１０ａと、ＬＥＤ光源１０ａが左右方向に複数配置されるＬＥＤ基板１０ｂと、から主に構成されている。尚、図３及び図５に示されるように、ＬＥＤ光源１０ａは、ＬＥＤ基板１０ｂの左右方向に所定間隔離間して６つ設けられているが、これに限らず、ＬＥＤ光源がＬＥＤ基板の左右方向にいくつでも設けられてもよいし、ＬＥＤ基板の上下方向に複数設けられてもよい。
【００２０】
この光源ユニット１０は、設置部８ｂの両端に設けられた取付孔８ｄにボルト１３等で緊締することによりカバー８に固定されている。このとき、ＬＥＤ光源１０ａは、設置部８ｂ内に位置するように配置されている。
【００２１】
また、図４の拡大部に示されるように、この切欠部８ｅの奥端面８ｆには、光を集光させるプリズムシート１２及び光を拡散する拡散フィルム１１が切欠部８ｅの奥端面８ｆから順に取付けられている。図７に示されるように、このプリズムシート１２は、シート状のシート部１２ａと、シート部１２ａの表面に複数設けられるプリズム単位１２ｂと、から成る。本実施例におけるプリズム単位１２ｂは、断面視略三角形状の多面体であり、シート部１２ａの長手方向及び短手方向に複数配置されている。更に、このプリズム単位１２ｂは、周囲の空間と屈折率が異なる媒体で形成されており、ＬＥＤ光源１０ａから出る光を複数の集光単位として集光させることができる。尚、プリズム単位は、これに限らず、例えばシート部に沿う線形状のものでもよいし、断面視略台形のものでもよく、光を集光させることができる多面体であればよい。
【００２２】
図６に示されるように、光源ユニット１０が取付けられたカバー８は、背板３の背面側の面におけるメモ台６よりも高い位置に配置し、図示しないビス等をボルト孔８ｃに緊締することにより背板３に固定設置されている。背板３においてカバー８が設置される位置には、背面側に開口する凹部３ａが形成されており、凹部３ａには、カバー８の外側に位置するＬＥＤ基板１０ｂやボルト１３の頭部等が収容されているとともに、図示しない電源ケーブル等が収容されている。
【００２３】
そして、前述した電源スイッチ１４を操作すると、ＬＥＤ基板１０ｂに電力が供給され、ＬＥＤ光源１０ａから光が発せられるようになる。このとき、開口部８ａは、前述したようにメモ台６側を向くように設けられているため、ＬＥＤ光源１０ａから発せられる光は、開口部８ａの透光板９を通して所要照明範囲Ｓに光が照射されるとともに、照明装置７を利用する着座者は、ＬＥＤ光源１０ａから出る光を直接目に受けて光の存在を感じることがない。
【００２４】
より詳しく説明すると、図７及び図８に示されるように、ＬＥＤ光源１０ａから発せられる光は、先ず、拡散フィルム１１により拡散される。このように、拡散フィルム１１が点光源であるＬＥＤ光源１０ａからの光を拡散することで、光が均一に分散されて均斉度が向上し、輝度ムラが減少される。
【００２５】
このように拡散フィルム１１により拡散された光は、図７に示されるように、プリズムシート１２の複数のプリズム単位１２ｂによって複数の集光単位Ｘに集光され、その後、各集光単位Ｘが所要照明範囲Ｓに照射される。つまり、所要照明範囲Ｓに照射される光は、複数の集光単位Ｘの集合体によって構成される。
【００２６】
したがって、所要照明範囲Ｓを照射する光が１つである場合よりも、複数の集光単位Ｘの集合体によって構成される場合の方がＬＥＤ光源１０ａからの距離による減衰を抑えられるようになっている。より具体的には、図８に示されるように、所要照明範囲Ｓに照射される光のうち、後席の着座者側に照射される集光単位Ｘａの照度と、背板３側に照射される集光単位Ｘｂの照度とがほぼ同一となっている。
【００２７】
更に、拡散した後に集光単位Ｘが集光されていることにより、各集光単位Ｘの周期のずれによって所要照明範囲Ｓ内のメモ台６上に縞模様やドット模様等のモアレ模様が視覚的に生じることが防がれるばかりか、所要照明範囲Ｓにのみ照射する精度が高められ、所要照明範囲Ｓ以外を照射することがないため、ＬＥＤ光源１０ａから出る光が照明装置７の利用者以外に影響を与えることを防止できる。
【００２８】
このように、複数の集光単位Ｘが、ＬＥＤ光源１０ａからの距離による減衰を抑えられ、且つ集光されているため、所要照明範囲Ｓを広く設定しても、所要照明範囲Ｓの照度の均一化を図ることができるようになっている。
【００２９】
また、照明装置にプリズムシートが設けられない場合において、所要照明範囲Ｓを照射する光は、ＬＥＤ光源から最も近い照明装置の直下の照度が最も高くなっており、後席の着座者側に近づくにつれて照度が漸次低くなっていた（図示せず）。しかしながら、プリズムシート１２が設けられた本実施例の照明装置７においては、図８に示されるように、ＬＥＤ光源１０ａから発せられる光がプリズムシート１２により後席の着座者側に方向付けされており、照明装置７の直下に光束を奪われないため、前述のようにプリズムシート１２により照度が均一化された光を所要照明範囲Ｓ内で最大限に発揮することができる。
【００３０】
尚、メモ台６の上面には、例えば、光を反射し難いシートを貼付したり、光を反射し難い塗料を塗布したりする等の低反射処理を施すことが好ましい。これによれば、所要照明範囲Ｓに照射される光によってメモ台６の上面が反射し、周りの着座者に反射した光が届くことを軽減できる。
【００３１】
以上説明したように、単一指向性のＬＥＤ光源１０ａからの光を、照射方向前方に配した拡散フィルム１１で拡散することで所要照明範囲Ｓを広く設定しても、照明ムラを抑えて所要照明範囲Ｓの照度の均一化を図ることができる。そして、拡散フィルム１１で拡散した後の光を、プリズムシート１２複数のプリズム単位１２ｂを介して複数の集光単位Ｘとして集光させ、各集光単位Ｘに基づく照度差を小さくできる。つまり、ＬＥＤ光源１０ａからの距離による減衰を抑えることができるので、所要照明範囲Ｓの照度をより均一に近づけることができる。
【００３２】
更に、ＬＥＤ光源からの光を所要照明範囲Ｓにのみ照射する精度が高められ、所要照明範囲Ｓ以外を照射することがないため、ＬＥＤ光源１０ａから出る光が照明装置７の利用者以外に影響を与えることを防止できる。
【００３３】
また、照明装置７の主たる部分がＬＥＤ光源１０ａとプリズムシート１２とで構成されているため、照明装置７全体を薄型に構成できるので設置空間を大きくとることなく椅子の背面にコンパクトに取り付け可能である。
【００３４】
また、拡散フィルム１１により点光源であるＬＥＤ光源１０ａからの光を拡散した後にプリズムシート１２で分散集光することができるので、所要照明範囲Ｓを広く設定しても、照明ムラを抑え、所要照明範囲Ｓの照度の均一化を図ることができる。更に、拡散フィルム１１を付加したとしても、照明装置７を薄型に構成できるので設置空間を大きくとることなく椅子１の背板３にコンパクトに取り付け可能である。
【００３５】
また、椅子１の背板３に取り付けたＬＥＤ光源１０ａから下方後方の所要照明範囲に向かう照射方向が斜め下方に向くので、照明装置７の利用者はＬＥＤ光源１０ａから出る光を直接目に受けて光の存在を感じることがない。
【００３６】
次に、光源ユニットの第１の変形例について説明する。図９（ａ）に示されるように、本変形例の光源ユニット１００は、設置部８ｂの切欠部８ｅに嵌合されるようになっている。図９（ｂ）に示されるように、光源ユニット１００は、ＬＥＤ光源１００ａと、ＬＥＤ基板１００ｂと、ＬＥＤ光源１００ａからの光を面発光させる導光板１００ｃと、ＬＥＤ光源１００ａからの光を反射する反射板１００ｄと、これらの部材を収容する断面視略Ｃ字形状のケース１００ｅと、から構成されている。
【００３７】
図９（ｂ）に示されるように、ＬＥＤ光源１００ａが左右方向に取付けられたＬＥＤ基板１００ｂは、ケース１００ｅの内周上面に固着されており、反射板１００ｄは、ケース１００ｅの開口と対向する面に取付けられている。また、導光板１００ｃは、反射板１００ｄと隣接してケース１００ｅ内に配置されており、上端面がＬＥＤ光源１００ａの近傍に位置している。更に、ケース１００ｅには、ケース１００ｅの開口を塞ぐように拡散フィルム１１１及びプリズムシート１２１が取付けられている。尚、ＬＥＤ光源１００ａ及びＬＥＤ基板１００ｂは、ケース１００ｅの内周上面に固着されることに限られず、例えば、内周下面に設けられていてもよい。
【００３８】
ＬＥＤ光源１００ａから光が発せられると、その光を導光板１００ｃが上端面から取込んで面発光させるようになり、面発光された光を背面側に位置する反射板１００ｄが拡散フィルム１１１及びプリズムシート１２１に向けて反射させる。このように面発光された光を拡散フィルム１１１で拡散するため、極めて効率的に輝度ムラが抑えられるようになっている。更に、ケース１００ｅにシート状のフィルム１１１及びプリズムシート１２１を用いるため、光源ユニット１００の大きさをコンパクトにすることができる。
【００３９】
続いて、光源ユニットの第２の変形例について説明する。図１０（ａ）に示されるように、光源ユニット１１０は、ＬＥＤ基板１１０ｂの前面に断面視略Ｃ字形状のホルダ１１０ｄが所定間隔離間して２つ取付けられており、このホルダ１１０ｄは、略筒状体の導光チューブ１１０ｃを把持している。この導光チューブ１１０ｃの背面側には、図示しない反射フィルムが貼付されている。更に、ホルダ１１０ｄの両端部には、ＬＥＤ光源１１０ａの発光部分が嵌合されている。尚、ホルダは、左右方向に連続して形成され、その内周面に反射フィルムが貼付されるものでもよい。更に尚、ホルダは、３つ以上複数設けられてもよい。
【００４０】
ＬＥＤ光源１１０ａから光が発せられると、その光を導光チューブ１１０ｃの両端部から取込んで面発光させる。導光チューブ１１０ｃの背面側には、前記反射フィルムが貼付されているため、導光チューブ１１０ｃの背面側に発光した光は、当該反射フィルムによって拡散フィルム１１及びプリズムシート１２に向けて反射される。また、ホルダ１１０ｄは、断面視略Ｃ字形状を成し、その開口により導光チューブ１１０ｃの面発光を遮らないようになっている。
【００４１】
尚、前記実施例におけるメモ台６は、背板３の背面側から後列の椅子１の座席部５に向けて引出し可能に構成されていたが、例えば、図１１に示されるように、照明装置７を使用する着座者の側方に収容され、当着座者の手前まで引出し可能に構成されるメモ台６１を用いてもよい。更に尚、特に図示しないが、本発明の椅子１は、メモ台が必ずしも設けられるものに限られず、例えば、特段のメモ台を設けず、着座者の膝元辺りを照らすようにするものでもよい。
【００４２】
次に、照明装置７の所要照明角度を変更できる調整手段１７につき、図１２及び図１３を参照して説明する。尚、前記実施例と同一構成で重複する構成を省略する。
【００４３】
図１２（ａ）に示されるように、背板３１には、背面側に開口する凹部３１ａが照明装置７よりも大きく形成されている。この凹部３１ａの底面には、照明装置７の角度を調整する調整手段１７を介して照明装置７が取付けられている。
【００４４】
この調整手段１７は、照明装置７を取付ける取付ブラケット１５と、略Ｌ字形状の接続部材１６，１６と、接続部材１６，１６を取付ブラケット１５に対して回転可能に枢着する枢支ネジ１８と、枢支ネジ１８を回動軸とした接続部材１６の回動を規制する規制ネジ１９と、から主に構成されている。
【００４５】
取付ブラケット１５は、左右方向の両端が照明装置７側に延びるアーム１５ａ，１５ａを備えている。接続部材１６は、アーム１５ａに接続可能な接続部１６ａと、カバー８のボルト孔８ｃ（図３参照）に接続可能な固定部１６ｂと、を備えている。更に、図１２（ｂ）に示されるように、接続部１６ａの背板３１側には、枢支ネジ１８が螺挿されており、この枢支ネジ１８により接続部材１６がアーム１５ａに対して相対的に回転可能な状態で枢着されている。また、接続部１６ａの照明装置７側には、孔部５１，孔部５２，及び孔部５３（図１３参照）が所定の位置に３箇所形成されている。
【００４６】
これ等孔部５１，孔部５２，及び孔部５３のうち、任意の孔部に規制ネジ１９を螺挿することにより、枢支ネジ１８を回動軸とした接続部材１６の回動が規制され、その後、カバー８のボルト孔８ｃ（図３参照）にボルト等を緊締し、所定の方向を向いた固定部１６ｂに照明装置７を取付ける。つまり、規制ネジ１９が螺挿される任意の孔部の位置によって、接続部材１６の固定部１６ｂが向く所定方向が変位するようになっており、換言すれば、規制ネジ１９が螺挿される任意の孔部の位置によって照明装置７の角度が調整される。尚、図１２（ｂ）においては、規制ネジ１９を孔部５３に螺挿した状態を示している。
【００４７】
図１３（ａ）に示されるように、背板３１が床面に対して略垂直を向いている状態では、規制ネジ１９を孔部５１に螺挿して照明装置７の角度を調整する。また、図１３（ｂ）に示されるように、背板３１が床面に対して略垂直の状態から背面側に所定角度傾斜した状態では、規制ネジ１９を孔部５２に螺挿して照明装置７の角度を調整する。また、図１３（ｃ）に示されるように、背板３１が図１３（ｂ）の位置から更に所定角度背面側に傾斜した状態では、規制ネジ１９を孔部５３に螺挿して照明装置７の角度を調整する。
【００４８】
そして、図１３（ａ）に示される態様にあっては、開口部８ａがメモ台６に対して適切な方向に向く傾斜角度θに照明装置７が調整されている。また、図１３（ｂ），（ｃ）に示される態様にあっても同様に、照明装置７が同じ傾斜角度θに調整されている。これによれば、例えば、椅子の設置作業の際に、背板３１が所定の角度からずれて傾いたとしても、背板３１の傾きに応じて照明装置７を調整させ、所要照明範囲Ｓに向けて的確に光を照射することができる。
【００４９】
尚、本実施例では、調整手段１７は、接続部材１６を枢支ネジ１８によって回動させるとともに、規制ネジ１９によってその回動を適宜の位置で規制することで、照明装置７の角度を調整していたが、これに限られず、例えば、ラックピニオン等を用いて照明装置を背板に回動可能に取付け、着座者が照明装置の向きを適宜変更できるようにしてもよい。これによれば、椅子の背板がリクライニング可能な場合等においても、背板のリクライニング動作に応じて照明装置を着座者が照明装置の向きを適宜調整することで、所要照明範囲に向けて的確に光を照射することができる。
【００５０】
次に、照明装置の高さ位置を変更できる調整手段１１７につき、図１４から図１５を参照して説明する。尚、前記実施例に示される構成部分と同一構成部分に付いては同一符号を付して重複する説明を省略する。
【００５１】
図１４（ａ）に示されるように、本実施例の照明装置７１は、照明装置７１の高さ位置を調整する調整手段１１７を備えている。この調整手段１１７は、背板３２の前面側から挿入され、挿入端部２０ａが背板３２を貫通して背面側に突出する位置決めボルト２０と、照明装置７１のカバー８１の裏面に設けられ位置決めボルト２０と螺合する螺合部２１と、から構成されている。
【００５２】
この螺合部２１は、位置決めボルト２０の挿入端部２０ａと螺合する第１位置決め孔２１ａ，第２位置決め孔２１ｂ，及び第３位置決め孔２１ｃから成り、これら第１位置決め孔２１ａ，第２位置決め孔２１ｂ，及び第３位置決め孔２１ｃは、上方から下方に向けて順に所定距離離間して並列されている。尚、これら第１位置決め孔２１ａ，第２位置決め孔２１ｂ，及び第３位置決め孔２１ｃは、上下方向に３箇所設けられるものに限られず、２箇所でもよいし、４箇所以上複数設けられてもよい。
【００５３】
図１４（ｂ）に示されるように、第１位置決め孔２１ａに位置決めボルト２０の挿入端部２０ａが螺合された場合には、照明装置７１のカバー８１の下端面とメモ台６の上面と間が所定間隔離間する離間距離Ｙとなっている。
【００５４】
この状態から図１５（ａ）に示されるように、照明装置７１を移動距離αの長さ上方に移動させ、位置決めボルト２０の挿入端部２０ａを第３位置決め孔２１ｃに螺合させると、図１５（ｂ）に示されるように、照明装置７１のカバー８１の下端面とメモ台６の上面と間が離間距離Ｙよりも移動距離αの長さ分長くなった離間距離Ｚとなる。これによれば、例えば、椅子の設置作業の際に、背板３２への取付位置が所定の高さからずれていても、背板３２の高さのずれ幅に応じて、位置決めボルト２０の挿入端部２０ａと螺合する第１位置決め孔２１ａ，第２位置決め孔２１ｂ，及び第３位置決め孔２１ｃから適宜選択することで、照明装置７１の高さを調整し、所要照明範囲Ｓに向けて的確に光を照射することができる。
【００５５】
尚、調整手段１１７は、これに限られず、例えば、背板の背面に上下方向に延びる凹溝を形成するとともに、照明装置の裏面に前記凹溝に遊嵌される突条を形成し、前記凹溝に沿って前記突条をスライド移動させることで、照明装置が上下方向の高さ調整されるように構成しても構わない。
【００５６】
以上、本発明の実施例を図面により説明してきたが、具体的な構成はこれら実施例に限られるものではなく、本発明の要旨を逸脱しない範囲における変更や追加があっても本発明に含まれる。
【００５７】
例えば、前記実施例では、照明装置７の角度を調整する調整手段１７、及び照明装置７１の高さ位置を調整する調整手段１１７について別箇に説明したが、照明装置の角度を調整する調整手段と、照明装置の高さ位置を調整する調整手段とを両方設けてもよい。
【００５８】
また、拡散シートは、ＬＥＤ光源とプリズムシートとの間に必ずしも設けられるものに限られず、例えば拡散シートを特段に設けず、ＬＥＤ光源の光が直接プリズムシートのプリズム単位を介して複数の集光単位Ｘとして集光され、各集光単位Ｘを所要照明範囲に照射するようにしてもよい。
【符号の説明】
【００５９】
１                椅子（照明装置付き椅子）
３                背板
５                座席部
６                メモ台
７                照明装置
８                カバー
８ａ              開口部
１０              光源ユニット
１０ａ            ＬＥＤ光源
１１              拡散フィルム
１２              プリズムシート
１２ｂ            プリズム単位
１５              取付ブラケット
１６，１６        接続部材
１７              調整手段
１８              枢支ネジ
１９              規制ネジ
２０              位置決めボルト
２０ａ            挿入端部
２１              螺合部
２１ａ            第１位置決め孔
２１ｂ            第２位置決め孔
２１ｃ            第３位置決め孔
３１，３２        背板
５１，５２，５３  孔部
６１              メモ台
７１              照明装置
１００            光源ユニット
１００ａ          ＬＥＤ光源
１１０            光源ユニット
１１０ａ          ＬＥＤ光源
１１１            拡散フィルム
１１７            調整手段
１２１            プリズムシート
【図１】
2014090794.tif 000003
【図２】
2014090794.tif 000004
【図３】
2014090794.tif 000005
【図４】
2014090794.tif 000006
【図５】
2014090794.tif 000007
【図６】
2014090794.tif 000008
【図７】
2014090794.tif 000009
【図８】
2014090794.tif 000010
【図９】
2014090794.tif 000011
【図１０】
2014090794.tif 000012
【図１１】
2014090794.tif 000013
【図１２】
2014090794.tif 000014
【図１３】
2014090794.tif 000015
【図１４】
2014090794.tif 000016
【図１５】
2014090794.tif 000017